Podtech/llm-jp-corpus-v4-ja_patent huggingface dataset:
(57)【要約】      （修正有）【課題】取れたての魚介類、あるいは加工直後の魚介類に接するかのごとくイメージされるので、宣伝・販促効果が非常に大きくなる魚介類の宣伝・販促カレンダーを提供する。【解決手段】紙ないしシートを基材として、魚介類の一側面を丸ごと抜き絵にした１枚の形象表紙と、それに重なる同じく魚介類の一側面を丸ごと抜き絵にした複数枚の月別形象暦紙２とからなり、月別形象暦紙２には該当する１又は複数の月の暦欄１３が設けられ、形象表紙と月別形象暦紙２とは、重なりの上端で綴られて一体化されてなることを特徴とする。【選択図】図２
0003203887.tif 000002
【実用新案登録請求の範囲】
【請求項１】
紙ないしシートを基材として、魚介類の一側面を丸ごと抜き絵にした１枚の形象表紙と、それに重なる同じく魚介類の一側面を丸ごと抜き絵にした複数枚の月別形象暦紙とからなり、月別形象暦紙には該当する１又は複数の月の暦欄が設けられ、形象表紙と月別形象暦紙とは、重なりの上端で綴られて一体化されてなることを特徴とする魚介類の宣伝・販促カレンダー。
【請求項２】
形象表紙および月別形象暦紙との上端に吊紐の通し孔を設け、吊紐を介して前記綴りがなされていることを特徴とする請求項１記載の魚介類の宣伝・販促カレンダー。
【請求項３】
形象表紙と月別形象暦紙とが似せる魚介類は、ブリ、イカ、カニ、エビ、巻貝のうちのいずれかであることを特徴とする請求項１又は２記載の魚介類の宣伝・販促カレンダー。
【考案の詳細な説明】
【技術分野】
【０００１】
この考案は、主として商店、会社、その他企業が暮に顧客等に配り、或いは販売する魚介類の宣伝・販促カレンダーに関するものである。
【背景技術】
【０００２】
海に囲まれた細長い島国日本では、各地域においておいしい魚が獲れる。おいしいのは、自然の立地条件によることが多く、殊に富山県では、深い海底を住処とし３０００ｍ級の立山から下りる雪解け水や地下水に含む栄養で美味しく魚が育つ。しかも、陸地が近く消費地への輸送に鮮度が保持される環境に恵まれている。
【０００３】
しかしながら、魚介類としての特産については、いずれの地域においても宣伝は余りなされることはなかった。その理由は、雑誌やチラシによるときは写真や絵が迫力に欠け、おいしいイメージが湧かないからであった。
【考案の概要】
【考案が解決しようとする課題】
【０００４】
この考案は、上記のような実情に鑑みて、取れたての魚介類、あるいは加工直後の魚介類に接するかのごとくイメージされるので、宣伝・販促効果が非常に大きくなる魚介類の宣伝・販促カレンダーを提供することを課題とした。
【課題を解決するための手段】
【０００５】
上記の課題を解決するために、この考案は、紙ないしシートを基材として、魚介類の一側面を丸ごと抜き絵にした１枚の形象表紙と、それに重なる同じく魚介類の一側面を丸ごと抜き絵にした複数枚の月別形象暦紙とからなり、月別形象暦紙には該当する１又は複数の月の暦欄が設けられ、形象表紙と月別形象暦紙とは、重なりの上端で綴られて一体化されてなることを特徴とする魚介類の宣伝・販促カレンダーを提供するものである。
【０００６】
魚介類の宣伝・販促カレンダーを上記のように構成したから、新しい歳を迎える暮に顧客等に配られる。贈られると暦として吊るすなどして１年中展示されることになるが、魚介類が背景のない一匹丸ごとでいつも表示されることになるので、印象的であり迫力をもって受け止められる。
【考案の効果】
【０００７】
以上説明したように、この考案のカレンダーによれば、背景のない一匹丸ごと表示であることから、獲れたて又は加工したての魚介類に身近に接するかのごとくイメージされるので、迫力があり、たとえ県外でも現地に行って食べてみたくなるほどに大きな宣伝・販促効果が得られる。
【図面の簡単な説明】
【０００８】
【図１】この考案に係るブリを模したカレンダーを綴り毎に幾つか部分的に切欠きして示す正面図である。
【図２】同カレンダーを表紙が剥がされた状態で示す正面図である。
【図３】同カレンダーをお歳暮品として装飾して示す正面図である。
【図４】この考案に係るイカを模したカレンダーを示す図２に対応する正面図である。
【図５】この考案に係るカニを模したカレンダーを示す図２に対応する正面図である。
【図６】この考案に係るエビを模したカレンダーを示す図２に対応する正面図である。
【図７】この考案に係る巻貝を模したカレンダーを示す正面図である。
【考案を実施するための形態】
【０００９】
この考案において、魚介類としてブリ、イカ、カニ、エビ、巻貝を挙げるが、これに限られることなく、タコ、クジラ等の他の魚介類を除外するものではない。
【実施例１】
【００１０】
図１ないし図３は、一実施例を示したもので、その宣伝・販促カレンダーＰ１は、同じ抜き絵のブリの形象表紙１に続いて裏側に月別形象暦紙２，３，４，５，６、７が重ねられ、重ね口元の上端に通し孔９を設け、各通し孔９に通して吊紐１１を具備し、吊紐１１で７枚が綴られている。
【００１１】
形象表紙１および月別形象暦紙２〜７は、ブリとそっくりに形および模様にしたものであるが、各月別形象暦紙には２か月を一組として１対ずつ暦欄１３，１３が設けられている。
【００１２】
展示形態は、吊紐１１で壁に掛け、或いは傾斜掲示板に突起を設け(図示しない)、それに通し孔９を掛けて斜めに展示する等、様々である。使用については、形象表紙１から順次剥ぎ取って展示されるが、常にブリ一匹の表示となるので迫力があり印象的である。
【００１３】
図３は、贈答に特別の意を表したもので、のし紙１５が回しかけられ、「塩ぶり」の表示１７が付されている。また、のし紙１５には、「富山の塩ぶり」のタイトル１９でその説明書き２１が記載される。
【００１４】
ブリは成長とともに呼び名が変わることから、富山では、昔から出世魚として縁起が良くお歳暮に送られ、殊に「塩ぶり」は、年越しには欠かせないものとして珍重され、元旦には切り分けて今でも神前に捧げられる伝統がある。
【実施例２】
【００１５】
図４ないし図７は、イカ、カニ、エビ、巻貝について同様に模した場合について、その各宣伝・販促カレンダーＰ２、Ｐ３，Ｐ４、Ｐ５は、表紙を剥ぎ取って２枚目を示したもので、６枚の月別形象暦紙２，３，４，５，６，７には、それぞれ一対ずつ暦欄１３，１３(１月と２月)が設けられる。また、上端には吊紐１１の通し孔９が設けられる。
【符号の説明】
【００１６】
Ｐ１、Ｐ２，Ｐ３，Ｐ４，Ｐ５  魚介類の宣伝・販促カレンダー
１  形象表紙
２，３，４，５，６，７  月別形象暦紙
９  通し孔
１１  吊紐
１３  暦欄
【図１】
0003203887.tif 000003
【図２】
0003203887.tif 000004
【図３】
0003203887.tif 000005
【図４】
0003203887.tif 000006
【図５】
0003203887.tif 000007
【図６】
0003203887.tif 000008
【図７】
0003203887.tif 000009
(57)【要約】      （修正有）【課題】人体や手足へのまとわりを防ぐ掛け布団を提供する。【解決手段】ゴザ３は掛け布団２の上面に載せて、ゴザ縁部３ａを掛け布団２に縫い合わせ構成している。このように構成することで掛け布団２に横方向の曲げ剛性を生じる。ゴザ３のゴザ縁部３ａ及び掛け布団２上面に、ファスナー又はホックを取り付ければ、脱着可能に構成できる。【選択図】図２
0003203891.tif 000002
【実用新案登録請求の範囲】
【請求項１】
掛け布団の上面にゴザを貼り合わせ、掛け布団にゴザの剛性を付与することにより、掛け布団の人体や手足へのまとわりつきを防いだことを特徴とする掛け布団。
【請求項２】
請求項１において、ゴザの縁部をファスナーやホック等により、掛け布団に対し脱着可能としたことを特徴とする掛け布団。
【考案の詳細な説明】
【技術分野】
【０００１】
本考案は、就寝時に寝返りを打ったり、手足を動そうとした際に、掛け布団が身体に絡まぬようにした掛け布団に関するものである。
【背景技術】
【０００２】
空気を密封し、その温度上昇による空気圧で起立自在とした掛け布団が非特許文献１に、敷布を切り抜き、ゴザを取り付けた構造体が非特許文献２に記載されている。
【０００３】
【非特許文献１】公開実用新案広報実開平５−２１７６７号広報
【非特許文献２】実用新案登録第３１６４４７６号広報
【考案の概要】
【考案が解決しようとする課題】
【０００４】
非特許文献１は、掛け布団が体に対して接触しないようにするよう構成されているが、構造が複雑で、商品化は難しいと思われる。
【０００５】
非特許文献２は、対象が体の下に敷く敷布であると言うことと、体がゴザに直接接触するため、布団本来の機能である柔らかい寝心地の良さが損なわれてしまう。
【課題を解決するための手段】
【０００６】
掛け布団の上面にゴザを貼り合わせ、掛け布団にゴザの剛性を付与することにより、掛け布団の人体や手足へのまとわりつきを防いだことを特徴とするものである。
【考案の効果】
【０００７】
本考案によると、掛け布団の上面にゴザを貼り合わせただけの簡単な構成で、掛け布団本来の肌さわりの良さを確保したまま、ゴザの持つ剛性が付与され、就寝時手足に布団が絡まず、寝返り時にも人体に絡まない、動きやすく、寝心地の良い掛け布団ができる。
【０００８】
ゴザの縁部をファスナーやホックなどで掛け布団に脱着自在に装着することで、ゴザが傷んだ場合の交換や、掛け布団の洗濯なども適宜行うことが可能となる。
【図面の簡単な説明】
【０００９】
【図１】本考案に係わる掛け布団の平面図である。
【図２】本考案に係わる掛け布団の説明用前面図である。
【図３】本考案に係わる掛け布団の使用時平面図である。
【図４】本考案に係わる掛け布団の使用時前面図である。
【考案を実施するための形態】
【００１０】
本考案の掛け布団の構成を図１、２を用いて説明する。２は一般的な掛け布団である。３はイグサ製のゴザで草茎は横方向（Ｆ）を向いている。図２に書かれているようにゴザ３は３’の位置から掛け布団２の上面に載せてゴザ縁部３ａを掛け布団２に縫い合わせ、掛け布団セット１を構成している。このように構成することで掛け布団２は横方向（Ｆ）に曲げ剛性を生ずることができる。
ゴザ３のゴザ縁部３ａ及びそれに合わせたに掛け布団２上面にファスナーやホック等で取り付れば脱着可能と構成できる。
【００１１】
図３、４は実際の仕様形態を表している。図４で判るように、イグサの剛性で掛け布団セット１は人体５の手足部に絡まぬようスペース６が出来、手足が自由に動かせる。また、寝返りを打つ場合も同じ作用で掛け布団セット１は体に纏わりつかず、寝返りが楽になる。
【符号の説明】
【００１２】
１         掛け布団セット
２         掛け布団
３         ゴザ
３ａ     ゴザ縁部
４         敷布団
５         人体
６         スペース
【図１】
0003203891.tif 000003
【図２】
0003203891.tif 000004
【図３】
0003203891.tif 000005
【図４】
0003203891.tif 000006
(57)【要約】      （修正有）【課題】調味液が滲み易い干豆腐で作った気泡付き豆腐を提供する。【解決手段】干豆腐１の味付けに着目してなされたもので、干豆腐１を沸騰した重曹水に浸すことで、干豆腐１を分解し、水切り圧縮をすることで、干豆腐１内部に多数の気泡２と層を作り、スポンジ状に変化させる。調味液の旨味成分を含浸の促進と維持することが可能となり、豆腐の製造工程に処理を加えるのと異なり、設備が簡単なものですみコストの削減を可能とする。【選択図】図４
0003203847.tif 000002
【実用新案登録請求の範囲】
【請求項１】
干豆腐を重曹入りの熱湯で加熱した後、脱水と圧縮して形成した気泡付き豆腐。
【請求項２】
干豆腐を重曹入りの熱湯で加熱した後、脱水後に調味液を加えて圧縮して形成した気泡付き豆腐。
【請求項３】
干豆腐を重曹と調味液の混合した熱湯で加熱した後、脱水と圧縮して形成した気泡付き豆腐。
【考案の詳細な説明】
【技術分野】
【０００１】      本考案は干豆腐で作った気泡付き豆腐に関するものである。
【背景技術】
【０００２】      従来豆腐への味付け方法は、豆腐の製造過程に味付け専用設備、味付け専用調味料が必要であった。
【先行技術文献】
【特許文献】
【０００３】
【特許文献１】特開平５−６５号公報（第１頁）
【特許文献２】特開２００１−２７５６００公報（第１頁）
【特許文献３】特開２０１４−１２４１３８（第１−２頁）
【考案の概要】
【考案が解決しようとする課題】
【０００４】      本考案は、このような技術的背景の下、干豆腐で作った気泡付き豆腐の味付けに着目してなされたものである。
【課題を解決するための手段】
【０００５】      本考案は干豆腐を有効利用したものである。すなわち前記目的を達成するための手段として、気泡付き豆腐について説明する。干豆腐１を重曹入りの熱湯で加熱することにより気泡２ができる、脱水と圧縮して形成することで気泡２と層が多数できた状態で固まり図１の気泡付き豆腐が完成し問題点を解決する。味を浸透させた気泡付き豆腐について説明する。干豆腐１を重曹入りの熱湯で加熱することにより気泡２ができる、脱水後に調味液を加えて圧縮して形成することで気泡２と層が多数できた状態に調味液が滲みこみ固まり図２の気泡付き豆腐が完成し問題点を解決する。
味を浸透させた気泡付き豆腐について説明する。干豆腐１を重曹と調味液の混合した熱湯で加熱することにより気泡２ができ調味液が滲みた状態になる、脱水と圧縮して形成することで、味液が滲みた気泡２と層が多数できた状態で固まり図３の気泡付き豆腐が完成し問題点を解決する。
【考案の効果】
【０００６】      以上に説明したように、本考案によれば、干豆腐を調味液が滲み易い味付け豆腐ができ、簡単に且つ短時間で調味液を滲みこませた調理することができる。特に、本考案によれば、従来の味付け豆腐では、豆腐の製造工程での味付けの方法と異なり、干豆腐をそのまま使用して味付け豆腐を製造できる。
本考案では、調味液を滲みこませた豆腐を作ることができ、重曹の濃度と浸透時間を調整することで気泡の量の多さを調整することが出来るため、豆腐の硬と食感を調整する効果も得られる。
【図面の簡単な説明】
【０００７】
【図１】本考案による気泡付き豆腐の断面の一例である。
【図２】本考案による気泡付き豆腐の断面の一例である。
【図３】本考案による気泡付き豆腐の断面の一例である。
【図４】本考案による図１の気泡付き豆腐の断面拡大図の一例である。
【図５】本考案による図２の気泡付き豆腐の断面拡大図の一例である。
【図６】本考案による図３の気泡付き豆腐の断面拡大図の一例である。
【図７】従来の干豆腐の図面の一例である。
【図８】従来の干豆腐の拡大図面の一例である。
【考案を実施するための形態】
【０００８】  本考案においては、干豆腐の形状は、従来の１枚板状の干豆腐、細かくカットされたもの、粉末状のもの、無作為に砕いたものなどを材料として使用することを基本としている。
【実施例】
【０００９】      気泡付き豆腐の製造方法について説明する。５００ｇの干豆腐１を千切りにし、重曹６ｇと水２０００ｃｃを加えて、鍋で煮沸し、沸騰したら火を止め３分程度静置し、豆腐を水切り布に入れて、水切りを十分行い、３０００ｇの圧力をかけ続けた状態で５時間静置する。これをもって気泡２が形成された気泡付き豆腐が完成する。【００１０】      気泡付き豆腐の製造方法について説明する。５００ｇの干豆腐１を千切りにし、重曹１０ｇと水２０００ｃｃを加えて、鍋で煮沸し、沸騰したら火を止め３分程度静置し、豆腐を水切り布に入れて、水切りを十分行い、かつおだし調味料６０ｇを加えかき混ぜて、３０００ｇの圧力をかけ続けた状態で５時間静置する。これをもって気泡２が形成された気泡付き豆腐が完成する。【００１１】      気泡付き豆腐の製造方法について説明する。５００ｇの干豆腐１を千切りにし、重曹１５ｇとかつおだし調味料６０ｇと水２０００ｃｃとを加え、鍋で煮沸し、沸騰したら火を止め３分程度静置し、豆腐を水切り布に入れて、水切りを十分行い、３０００ｇの圧力をかけ続けた状態で５時間静置する。これをもって気泡２が形成された気泡付き豆腐が完成する。
【符号の説明】
【００１２】１  干豆腐本体
２  気泡
【図１】
0003203847.tif 000003
【図２】
0003203847.tif 000004
【図３】
0003203847.tif 000005
【図４】
0003203847.tif 000006
【図５】
0003203847.tif 000007
【図６】
0003203847.tif 000008
【図７】
0003203847.tif 000009
【図８】
0003203847.tif 000010
(57)【要約】      （修正有）【課題】専門の職人による工事を必要としない、取り付け、取り外しが容易な壁面装飾照明板を提供する。【解決手段】装飾照明板の発光面はアクリル乳板１でできており、フレーム２内に仕込まれたＬＥＤ発光体群４により、発光する。裏面には、面ファスナー５が取り付けられており、簡単に設置、取り外しができる物とした。配線はソケット式になっており、連結、取り外しを簡単に行う事ができ、また調光コントローラーを取り付ける事により、リモコンによる導光板の調色が可能となっている。電源はＡＣアダプターとなっており、電源の容量の限界まで、ソケットを接続するだけで簡易に増設する事ができる。【選択図】図１
0003203098.tif 000002
【実用新案登録請求の範囲】
【請求項１】
アクリル板と本体フレームをアクリル板止めアングルで一体化する装飾照明本体であって、
前記装飾照明本体は、ＬＥＤライトと調光器を備え、
前記装飾照明の本体フレームの取付面と設置壁面を面ファスナーで着脱自在とし、
配線ソケットを介して着脱自在に電源を供給する事を特徴とする壁面装飾照明板。
【考案の詳細な説明】
【技術分野】
【０００１】
本考案は、構造がシンプルでありながら、訴求効果が高く、取り付け、取り外しを簡易に行う事ができる、壁面装飾照明板である。
【背景技術】
【０００２】
商業施設に設置される意匠としての壁面装飾照明は、昔から様々なものが存在するが、そのほとんどが作り付けであり、専門業者による取り付け工事が必要であった。
【先行技術文献】
【特許文献】
【０００３】
【特許文献１】実用新案登録第3188392号公報
【考案の概要】
【考案が解決しようとする課題】
【０００４】
従来の壁面装飾照明は、取り付けに専門業者の工事が必要であった。専門業者の施工が必要な工事は大きく２点あり、一つは本体の設置工事、もう一つは電気配線の工事である。
【０００５】
本考案は、そのような従来の構成が有していた問題を解決しようとするものであり、専門の職人による工事を必要としない、取り付け、取り外しを実現する事を目的とするものである。
【課題を解決するための手段】
【０００６】
本考案は上記目的を解決するために、今まで専門業者の施工が必要であった装飾照明本体の取り付けに関しては、簡易に行えるように、マジックテープ（登録商標）を使用し、専門業者の施工の必要性を排除した。
【０００７】
また電気工事の必要があった電気配線に関しては、ソケット方式にて接続できるものを使用する事によって、専門業者の施工の必要性を排除した。
【０００８】
上記の問題解決手段における作用は次の通りである。すなわち、マジックテープ（登録商標）を使用する事により、専門工具を必要とせず誰でも簡単に取り付け、取り外しを行う事が可能となる。
【０００９】
また、電気配線に関しても、ソケット式を採用する事により、専門工具を必要とせず誰でも簡単に取り付け、取り外しを行う事が可能となる。
【考案の効果】
【００１０】
上述したように本考案の壁面装飾照明は、マジックテープ（登録商標）とソケットによる着脱を可能にした事から、専門業者でなく誰でも簡単に、取り付けが可能である。
【００１１】
また、設置だけでなく外す事も簡単に行う事ができるので、装飾として利便性の高い運用を可能とする。今までは製品を設置したら、有る事が前提の空間づくりしかできなかった所に、装飾照明無しという空間のシーン作りを追加する事が可能となる。複数個の接続も問題なく、簡単に行う事ができる。
【図面の簡単な説明】
【００１２】
【図１】本考案の実施形態を示す壁面装飾照明の部分断面図
【図２】同壁面装飾照明を正面（装飾側、発光面）から見た外観図
【図３】同壁面装飾照明を背面（取り付け面）から見た外観図
【図４】同壁面装飾照明を正面側斜めから見た外観図
【図５】同壁面装飾照明を複数個接続した時に正面から見た外観図
【考案を実施するための形態】
【００１３】
以下、本考案の実施の形態を図１〜図５に基づいて説明する。
【００１４】
図１において、壁面装飾照明の本体フレーム２は、マジックテープ（登録商標）（オス）５、マジックテープ（登録商標）（メス）６にて、壁面７に固定されている。
【００１５】
アクリル板１はＬＥＤライト４により発光し、アクリル板止めアングル３によって、
本体フレーム２に固定されている。
【００１６】
本体からは、配線ソケット８（メス）と配線ソケット（オス）９が１本ずつ付いてお
り、図５のように、連続して配線する事ができる。
【００１７】
この時、マジックテープ（登録商標）５、６と配線ソケット８、９は共に取り付けに
際して、特別な器具を必要とせず、誰でも簡単に取り付け、取り外しが可能である。
【００１８】
取り付けられた壁面装飾照明は、調光機１０によって発光パターンを調整でき、電源１１により、一般的な家庭でも使われる１００Ｖコンセントに接続する事が可能である。
【符号の説明】
【００１９】
１  アクリル板
２  本体フレーム
３  アクリル板止めアングル
４  ＬＥＤライト
５  マジックテープ（登録商標）（オス）
６  マジックテープ（登録商標）（メス）
７  設置壁断面
８  配線ソケット（メス）
９  配線ソケット（オス）
10  調光機
11  電源
12  コンセント      
【図１】
0003203098.tif 000003
【図２】
0003203098.tif 000004
【図３】
0003203098.tif 000005
【図４】
0003203098.tif 000006
【図５】
0003203098.tif 000007
(57)【要約】【課題】本考案は、小物の出し入れが容易な内ポケットを備える工具袋を提案することを課題とする。【解決手段】本考案に係る工具袋は、前面に上面開口して工具類を収納する収納部と、該収納部を保持する背布とからなり、収納部の横マチに内ポケットを備えることを特徴とする。【選択図】図１
0003203033.tif 000002
【実用新案登録請求の範囲】
【請求項１】
前面に上面開口して工具類を収納する収納部と、該収納部を保持する背布とからなる工具袋であって、前記収納部の横マチに内ポケットを備えることを特徴とする工具袋。
【請求項２】
前記内ポケットは、前記収納部の横マチに縫着されていることを特徴とする請求項１に記載の工具袋。
【考案の詳細な説明】
【技術分野】
【０００１】
本考案は、収納部の横マチに内ポケットを備える工具袋に関する。
【背景技術】
【０００２】
従来、工具袋は釘袋や腰袋ともいい、袋体の内部に釘、ねじ類等の工事に必要な各種部材を収納できるようにしている。一般的な工具袋は、布製又は樹脂製で、背布と胴布とからなり、胴布で開口部を設けた大ポケットを形成するように背布に縫合して、該大ポケットの前面に中、小ポケットを縫い付けると共に、背布の上端部にベルト通しを備えているもので、各ポケットに大小の釘を収納すると共に、金槌やバール等の工具を差し込んで利用する。このような各ポケットに大小の釘を収納すると共に、金槌やバール等の工具を差し込んで利用するため、背布や胴布は、保形性を有した硬い素材で形成することが多い。
【０００３】
上述した大ポケットは、その内部に内ポケットを備えることがある。この場合、筆記具やメモ等を収納できるように、内ポケットは背布側に取り付けられることが通常である。
【考案の概要】
【考案が解決しようとする課題】
【０００４】
しかしながら、工具袋のように工具等を詰め込んだ状態で、手を背布側の内ポケットに差し入れて小物を出し入れすることは容易ではない。そこで、このような問題に鑑み、小物の出し入れが容易な内ポケットを備える工具袋を提案することを課題とする。
【課題を解決するための手段】
【０００５】
本考案に係る工具袋は、前面に上面開口して工具類を収納する収納部と、該収納部を保持する背布とからなり、収納部の横マチに内ポケットを備えることを特徴とする。なお、内ポケットは、収納部の横マチに縫着すると好適である。
【考案の効果】
【０００６】
本考案に係る工具袋によれば、内ポケットに筆記具やメモ等を容易に出し入れ可能で利便性が高まる。
【図面の簡単な説明】
【０００７】
【図１】本考案に係る工具袋の一例を示す斜視図である。
【図２】本考案の工具袋の一例を示す平面図である。
【図３】本考案の工具袋のＡ‐Ａ断面図である。
【図４】本考案の工具袋のＢ‐Ｂ断面図である。
【考案を実施するための形態】
【０００８】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【０００９】
実施例１を図面を参照して詳細に説明する。
【００１０】
まず、工具袋１の全体構成を説明する。図１は、本考案に係る工具袋１の一例を示す斜視図である。図１に示すとおり、本考案の工具袋１は、表布１０によって前面に上面開口して底部を有し工具類を収納する収納部１２を備え、表布１０を保持し、ベルト通しを有する背布１１からなる。なお、収納部１２の横マチ１２ａ、１２ｂ（図示していない）に内ポケット１２１ａ、１２１ｂを備えることを特徴とする。工具袋１は、形態保持可能な皮革、厚布、樹脂等比較的丈夫な一枚の略長方形の基材の上端部分を裏側に折り返して腰ベルトを挿通させるベルト通しを形成するとよい。また、表布１０の縁は表縁部、背布１１の縁は裏縁部で工具袋１の形状を補強するとよい。表縁部や裏縁部は、表布１０や背布１１の布端を折り込んで形成してもよいし、表布１０や背布１１と異なる任意の丈夫な素材を縫い付けて形成してもよい。なお、収納部１６の前面、すなわち表布１０の前面に布材を縫着することにより上面開口した小収納部（図に示していない）を形成してもよい。
【００１１】
図２〜４を参照する。図２は、本考案の工具袋１の一例を示す平面図である。図３と図４は、それぞれ図２に示すＡ‐Ａ断面図、Ｂ‐Ｂ断面図である。図２〜４に示すとおり、収納部１２の横マチ１０ａ、１０ｂに内ポケット１２１ａ、１２１ｂを備えている。内ポケット１２１ａ、１２１ｂは、収納部１２の横マチ１２ａ、１２ｂに縫着すると好適である。このように、内ポケット１２１ａ、１２１ｂは、収納部１２の横マチ１２ａ、１２ｂに備えることで、工具類が収納部１２に収納された状態において、小物の取り出しが容易になる。
【００１２】
以上、本考案に係る工具袋における好ましい実施形態を図示して説明してきたが、本考案の技術的範囲を逸脱することなく種々の変更が可能であることは理解されるであろう。
【産業上の利用可能性】
【００１３】
本考案に係る工具袋は、構造が簡易であるので、建設工事や電気工事等において高所で工具を必要とする職人だけでなく、家庭用の工具としても広く利用することができる。
【符号の説明】
【００１４】
１  工具袋
１０  表布
１１  裏布
１２  収納部
１２ａ  １２ｂ  マチ
１２１ａ  １２１ｂ  内ポケット
【図１】
0003203033.tif 000003
【図２】
0003203033.tif 000004
【図３】
0003203033.tif 000005
【図４】
0003203033.tif 000006
(57)【要約】      （修正有）【課題】輸送用ベルトと支持チェーンの摩擦を防止することができる輸送用ベルトを備えた染色機の輸送用ベルト支持構造を提供する。【解決手段】輸送用ベルト１の底部には、支持台座と支持チェーンを備えた輸送用ベルトチェーン３が一本或は複数本設けられる。支持チェーンの一面は、支持レール５上を運行し、支持レール５は、支持レール固定フレーム４上に固定され、支持チェーンの他面は、支持台座によって輸送用ベルト１を直接支えるとともに、支えた輸送用ベルト１と同時に運行する。以上により、輸送用ベルトと支持チェーンとの摩擦を防止出来る。また、輸送用ベルトの交換が不必要になるとともに、輸送用ベルトの運行が安定化し、機械の動作がスムーズになる。【選択図】図２
0003203065.tif 000002
【実用新案登録請求の範囲】
【請求項１】
輸送用ベルトを備えた染色機の輸送用ベルト支持構造であって、
前記輸送用ベルトの底部には、一本或は複数本の支持チェーンが設けられ、
前記支持チェーンの一面は、支持レール上を運行し、
前記支持チェーンの他面は前記輸送用ベルトを直接支えるとともに支えた前記輸送用ベルトと共に運行し、
更に、前記支持チェーンの運行速度は、前記輸送用ベルトと等速であるとともに同期して作動し、
前記支持チェーンの支持面には、支持面積を拡大して安定的に支持するための支持台座が設けられることを特徴とする、輸送用ベルトを備えた染色機の輸送用ベルト支持構造。
【考案の詳細な説明】
【技術分野】
【０００１】
本考案は、輸送用ベルトを備えた布地用の染色機に関し、特に、輸送用ベルトの底部には支持台座を備えた支持チェーンが一本或は複数本設けられ、前記支持チェーンの一面は、支持レール上を運行し、前記支持チェーンの他面は、支持台座によって輸送用ベルトを直接支えるとともに支えた輸送用ベルトと共に運行し、更に、両者は同期して（同速度で）運行することが望ましく、以上により、輸送用ベルトと支持チェーンとの摩擦を完全に防止することが出来る、輸送用ベルトを備えた染色機の輸送用ベルト支持構造に関する。
【背景技術】
【０００２】
輸送用ベルトを備えた輸送用ベルト式の染色機において、輸送用ベルトが布地を輸送する時、布地の重さによって輸送用ベルトが垂れ下がったり波打ってしまったりすることがある。このため、従来技術では、輸送用ベルト底部に支持装置（例えば、固定式の磨耗性素材やローラー等を用いた支持装置）が設けられることにより、輸送用ベルトが安定的に輸送されるようになっている。しかし、磨耗性材料は、材料そのものが磨耗されるため不定期に交換しなければならず、加えて輸送用ベルト自体も磨耗されるため交換が必要になる。また、ローラーを用いた場合は、輸送用ベルトが磨耗されることはないものの、ローラーの密度の違いによって輸送用ベルトが不均一に波打ってしまう可能性がある。
【考案の概要】
【考案が解決しようとする課題】
【０００３】
上記の問題に鑑み、本考案は、輸送用ベルトを備えた染色機の輸送用ベルト支持構造を提供することを目的とする。
【課題を解決するための手段】
【０００４】
上述の目的を達成するため、本考案において、輸送用ベルトの底部には、一本或は複数本の支持チェーンが設けられる。前記支持チェーンの一面は、支持レール上を運行する。また、前記支持チェーンの他面は、直接輸送用ベルトを支えるとともに、支えた輸送用ベルトと共に運行する。尚、両者の運行は同期することが望ましい。
【考案の効果】
【０００５】
以上により、輸送用ベルトと支持チェーンが速度の不一致のために摩擦を生じることを完全に防止できる。よって、輸送用ベルトは永久的な部品となり、交換が不必要になる。加えて、支持チェーンの支持面には支持台座が設けられることが望ましく、これにより、支持構造がより強固且つ安定的になるとともに、輸送用ベルトの作動も安定化する。
【図面の簡単な説明】
【０００６】
【図１】本考案の輸送用ベルトの支持構造を示した概略図である。
【図２】図１のＡ−Ａ'方向における本考案の輸送用ベルトの支持構造を示した概略図である。
【図３】本考案の輸送用ベルトの支持構造を示した断面図である。
【考案を実施するための形態】
【０００７】
本考案の輸送用ベルトの支持構造について、図１、図２、図３を参照する。輸送用ベルト１の底部には、支持台座３２と支持チェーン３１を備えた輸送用ベルトチェーン３が一本或は複数本設けられる。支持チェーン３１の一面は、支持レール５上を運行し、支持レール５は、支持レール固定フレーム４上に固定され、支持チェーン３１の他面は、支持台座３２によって輸送用ベルト１を直接支えるとともに、支えた輸送用ベルト１と同時に運行する。以上により、輸送用ベルト１が輸送用ベルト誘導歯車２に連動されて運行する時、輸送用ベルト１と支持チェーン３１との横滑りによる摩擦を完全に防止することが出来る。よって、輸送用ベルト１は、永久的な部品となり、交換が不必要になるとともに、輸送用ベルトの運行が安定し、更には機械の使用寿命を延長させることが出来る。
【符号の説明】
【０００８】
１輸送用ベルト
２輸送用ベルト誘導歯車
３輸送用ベルトチェーン
３１支持チェーン
３２支持台座
４支持レール固定フレーム
５支持レール
【図１】
0003203065.tif 000003
【図２】
0003203065.tif 000004
【図３】
0003203065.tif 000005
(57)【要約】      （修正有）【課題】温泉施設等で入浴時に他人が座った椅子を使用する事に抵抗なく着座することが出来る風呂用椅子カバーを提供する。【解決手段】温泉施設の風呂の椅子カバー１に於いて、使用時に上半分を覆うようにゴム状のヒモ３で円周端部を固定した。【選択図】図２
0003203061.tif 000002
【実用新案登録請求の範囲】
【請求項１】
温泉施設の風呂の椅子カバーに於いて、使用時に上半分を覆うようにゴム状のヒモで円周端部を固定した、円形状の風呂用椅子カバー
【考案の詳細な説明】
【技術分野】
【０００１】本発明は温泉施設等の浴室での使用する椅子の衛生及び感染症予防に関するもの
【背景技術】
【０００２】従来、温泉施設等の浴室で使用する椅子は、共用でそのまま使用していて、衛生面等で問題があった。
【先行技術文献】
【０００３】
【特許文献】
【特許文献】特許第５５１３６０１号
【考案の概要】
【考案が解決しようとする課題】
【０００４】従来の椅子カバーの背景技術に対して、類似技術として、上記特許があるがこの方式では解決できないものであり、このままでは入浴時に先客の使用した椅子は感染症等の心配がある。
【課題を解決するための手段】
【０００５】椅子の使用時に簡単に装備出来る物として、ビニールカバー等で椅子と肌の直接の接触が避けられる。
【考案の効果】
【０００６】カバーすることによって感染症予防、又、使用する椅子に抵抗なく着座する事が出来、温泉施設等を利用する際にもコンパクトに携帯可能。また、現在使用されている各種の椅子に十分対応できる。
【図面の簡単な説明】
【０００７】
【図１】  本発明の全体図
【図２】  カバー側面（取り付け時）
【図３】  カバー上面
【考案を実施するための形態】
【０００８】図１に全体図を示し、風呂用椅子の上半分に椅子用カバーを覆うように被せ、円周端部のゴムで固定する。図２、図３は取り付け時と拡げた時を表す。水はけのために、中央に穴を開けた図である。
【産業上の利用可能性】
【０００９】感染症予防などで広く産業上の利用可能性が持てる。
【符号の説明】
【００１０】１  風呂用椅子カバー
２  椅子
３  ゴム
４  水はけ穴
【図１】
0003203061.tif 000003
【図２】
0003203061.tif 000004
【図３】
0003203061.tif 000005
(57)【要約】      （修正有）【課題】カードが多くても困らないカード入れを提供する。【解決手段】長方形の薄布１０に、カードが縦に入る５個以上の奇数個のカード入れ部６を縫い付け、長方形の厚手布カード入れ本体に縫い付け、一体化した。折り畳む際は、長方形の薄布上部４に磁気ホック凸部２と、厚手布下部の外側に磁気ホック凹部を設けたため凹凸を合体させてカードを保管出来る事を特徴とする。【選択図】図４
0003203063.tif 000002
【実用新案登録請求の範囲】
【請求項１】
長方形の薄布（１０）に、カードが縦に入る寸法で、５個以上の奇数個のカード入れ部（６）を設け、厚手長方形の布カード入れ本体（１）と合体させ、長方形の薄布上部（４）に磁気ホック凸部（２）と、長方形の厚手布下部（５）の外側に磁気ホック凹部（３）を設け、３つに折りに畳むと財布状の形状になる事を特徴とするカード入れ。
【請求項２】
厚手布のカード入れ本体（１）、長方形の薄布（１０）、カード入れ部（６）の素材は、皮又は合成樹脂系の素材で製作する請求項１記載のカード入れ。
【考案の詳細な説明】
【技術分野】
【０００１】
沢山持っているカードの保管に困らないようにするカード入れに関する。
【背景技術】
【０００２】
従来、財布にカードを入れて外出するのが一般的であった。
しかし、最近ではカードの種類が増えて財布に入りきれない事もあり、何かの工夫が必要である。特許文献１．特願２０１３−２５４６０２号公報（カード入れ  ）に記載はあるが構造の違いが大きい。
【先行技術文献】
【特許文献】
【０００３】
【特許文献１】特願２０１３−２５４６０２号公報
【考案の概要】
【考案が解決しようとする課題】
【０００４】
カードの枚数が少なければ、財布と一緒に持ち歩くことは出来るが最近はカードの種類が多く成って、財布に入れて持ち歩く事は困難な時代になって来た。
本考案では、そのカードを専用の入れ物に入れて持ち歩くと紛失の防止とスーパーのレジ等で探すために時間がかかって他人に迷惑を掛ける事がある。
これは解決しなければならない課題である。
【課題を解決するための手段】
【０００５】
課題を解決するために本考案は，以下の構成とした。
カード入れ本体（１）は、一枚の長方形の布で厚手である。厚手の長方形の布を外側にして、内側には同寸法の長方形の薄布（１０）に、カードの入る寸法で、カードが縦に入る５個以上の奇数個のカード入れ部（６）を設けた。
【０００６】
長方形の薄布（１０）は、５個以上の奇数個のカード入れ部（６）を縫い付けた後は、長方形の厚手布のカード入れ本体（１）の裏側に縫い付けて一体化した。（図２）
折り畳む際は、長方形の薄布（１０）の上部（４）のに磁気ホック凸部（２）と、厚手布のカード入れ本体（１）の下部（５）に磁気ホック凹部（３）を設けたため折り畳む時凹凸を合体させてカードの保管が出来ることと、３つに折り畳むと財布状の形状になる。
【考案の効果】
【０００７】
（イ）カードが多く成っても保管に困らない。
（ロ）人の込み合う中でも取り出しに困難はなくなった。
（ハ）人を待たせて不快な感じを与えなくてもよい。
（ニ）カードの紛失防止が出来る。
【図面の簡単な説明】
【０００８】
【図１】カード入れを畳んだ状態の平面図
【図２】カード入れの磁気ホックを外して一枚開いた平面図
【図３】カード入れの磁気ホックを外して二枚開いた平面図
【図４】カード入れの内部を鈍角に開いた状態の斜視図
【考案を実施するための形態】
【０００９】
以下，本考案を実施するための最良の形態について説明する。
カード入れ本体（１）は、一枚の長方形の布で厚手である。厚手の長方形の布を外側にして、内側には同寸法の長方形の薄布（１０）にカードの入る寸法で、カードが縦に入る５個以上の奇数個のカード入れ部（６）を設けた。
【００１０】
長方形の薄布（１０）は、５個以上の奇数個のカード入れ部（６）を縫い付けた後は、厚手長方形のカード入れ本体（１）と縫い付けて一体化した。（図２）
折り畳む際は、長方形の薄布（１０）の上部（４）に磁気ホック凸部（２）と、厚手長方形のカード入れ本体（１）の下部（５）に磁気ホック凹部（３）を設けたため凹凸を合体させカードが紛失しないように保管出来る構造である。（図２）
【００１１】
カード入れは、外観は財布状の形状でありカードを主として入れ、レシートも保管出来る構造である。
また、３つに折り畳むと財布状の形状になる。
素材は、皮又は合成樹脂系の素材で製作することが出来る。
【符号の説明】
【００１２】
１．  厚手長方形のカード入れ本体
２．  磁気ホック凸部
３．  磁気ホック凹部
４．  長方形の薄布上部
５．  長方形の厚手布下部
６．  正方形状のカード入れ部
７．  レシート入れ部
８．  長方形の薄布とカード入れ部全体をまとめた布との縫い目
９．  長方形の薄布と厚手長方形のカード入れ本体との縫い目
１０．  長方形の薄布
【図１】
0003203063.tif 000003
【図２】
0003203063.tif 000004
【図３】
0003203063.tif 000005
【図４】
0003203063.tif 000006
(57)【要約】      （修正有）【課題】レコード再生に使用されるカートリッジ振動機構を、効率よく支え、保持するため、カッティングマシンのバーチカルアングルに合わせたトーンアームを提供する。【解決手段】トーンアーム２は、レコード盤６の音溝に有するバーチカルアングル１の延長線４の方向にアーム部の方向軸を合わせた事を特徴とする。これにより、カートリッジ振動機構３が受ける振動方向と同じ方向で支えるようになり、良好な保持が出来るようになった。【選択図】図１
0003203046.tif 000002
【実用新案登録請求の範囲】
【請求項１】
バーチカルアングルの角度を付けたトーンアーム
【考案の詳細な説明】
【技術分野】
【０００１】レコード再生に使用されるトーンアームにバーチカルアングルを設け、カートリッジを確実に支持しようとするものである。
【背景技術】
【０００２】レコードプレイヤーのトーンアームは、レコード面に対し、水平に保つのが通常であり常識であった。
【先行技術文献】
【特許文献】
【０００３】
【特許文献１】
【非特許文献１】
【考案の概要】
【考案が解決しようとする課題】
【０００４】従来トーンアームにはバーチカルアングル対しての考慮が無視されていて、カートリッジの振動機構の振動方向と、異なる方向より支えられていて、振動機構が充分に支えられているとは言えず、その不都合を解消するものである。
【課題を解決するための手段】
【０００５】レコード盤（６）の音溝は水平に刻まれていて、その溝をなぞって再生されるカーリッジの振動機構（３）は、通常水平ではなく、ある角度を持たせている。これは、レコードの製作の際、理由あってバーチカルアングルと言われる角度を持たせて、レコード溝をカッテングしているためで、カッティングマシンの振動系の支点の方向と、再生する側の支点を、同方向に合わせるために、上記カートリッジ振動機構（３）に同じ角度を付けて、良好な振動伝達が行われている。  本考案は同様にして、トーンアーム（２）に於いても、カートリッジの振動機構（３）のバーチカルアングルと同じ方向の角度（１）にする事により、確実に振動機構を支え、保持させるものである。  このカートリッジ振動機構には、レコードより加速度の大きな振動が加わるため、本来は強固に支えるなければならない理由があるためで、同じ方向の延長線上にトーンアーム支点（５）を合わせ解決した。
【考案の効果】
【０００６】カートリッジの振動機構のバーチカルアングルの延長線上で支えるため、合理的に明確な保持が行われ、ステレオレコードにおける、トレーシング能力の向上、それに伴う歪の減少、立体感の向上、音に対する明確化など認められた。
【図面の簡単な説明】
【０００７】
【図１】本考案の側面図
【考案を実施するための形態】
【０００８】以下、考案の実施の形態について説明する。
（３）のカートリッジの振動機構のバーチカルアングルの延長線（４）を、トーンアーム（２）の支点（５）に合わせ、延長線とレコード（６）の間に角度（１）を設け実施する。
【符号の説明】
【０００９】（１）バーチカルアングル
（２）トーンアーム一例
（３）カートリッジの振動機構の例
（４）カートリッジの振動機構のバーチカルアングル延長線
（５）トーンアーム支点
（６）レコード
（７）水平回転軸支持部
（８）アーム取り付け台
【図１】
0003203046.tif 000003
【手続補正書】
【提出日】平成27年11月30日(2015.11.30)
【手続補正１】
【補正対象書類名】実用新案登録請求の範囲
【補正対象項目名】全文
【補正方法】変更
【補正の内容】
【実用新案登録請求の範囲】
【請求項１】
レコード音溝に有するバーチカルアングルの延長方向にアーム部の方向軸を合わせた事を特徴とするトーンアーム
(57)【要約】      （修正有）【課題】生花を長期間みずみずしく保存して鑑賞できる花袋を提供する。【解決手段】生花５を透明な球形又はハート型の横幅が１０〜３０ｃｍ、高さは５〜２０ｃｍの透明袋１に封入する。袋の材質はナイロンとＬＬＤＰＥをラミネート加工したフィルムであり、フィルムの厚みは０．０１〜０．１ｍｍが好ましい。生花を入れた後、開口部２をまずヒートシーラーで密封し、もう１ヶ所の開口部３より空気４を注入して膨らませたのち、その開口部もヒートシーラーで密封する。【選択図】図１
0003203047.tif 000002
【実用新案登録請求の範囲】
【請求項１】
生花を透明な球形又はハート型の横幅が１０〜３０ｃｍ、高さは５〜２０ｃｍの透明袋に封入したことを特徴とする花袋。
【考案の詳細な説明】
【技術分野】
【０００１】
生花を保存するための透明袋であって、３〜１０cmの開口部と空気注入口とし、複数の生花を内封したことを特徴とする球形または非球形の花袋に関する。
【背景技術】
【０００２】
生花は切り花にすると保存期間が短くなる。少しでも保存期間を長くして生花を楽しみたいという依頼が多数あった。生花は切り花にすると保存期間が短くなる。少しでも保存期間を長くして生花を楽しみたいという依頼が多数あったが生花を切よ花にすると茎を水に浸けなければ保存が長く保てなかった。
先行技術としては特開２０１３−２３２７５であるが、これは上部が開封しており生花は長持ちしなかった。
【先行技術文献】
【特許文献】
【０００３】
【特許文献１】特開２０１３−２３２７５号公報
【考案の概要】
【考案が解決しようとする課題】
【０００４】
生花を長期間みずみずしく保存して鑑賞できる花袋を提供することにある。
【課題を解決するための手段】
【０００５】
本考案の花袋の材質はナイロンとLLDPEをラミネート加工したフィルムが好ましい。フィルムの厚みは０．０１〜０．１ｍｍが好ましい。
花袋の大きさは横幅が１０〜３０ｃｍ、高さは５〜２０ｃｍであることが必要である。この大きさの袋を用いることにより、室内に飾った際の収まりが良く、見栄えの良い置物とすることが出来る。袋には生花を入れるために開口部を生花の大きさに合わせるため３〜１０ｃｍにする。また、花袋に空気を注入するための穴を設けることが好ましい。生花は大きさが安定している事により開口部に入れやすいためバラ又はカーネーションを用いることが好ましい。
生花を入れたあと、開口部はヒートシーラーで密封することが好ましい。
【考案の効果】
【０００６】
生花が枯れるまでの時間が長くなり、透明性の高い袋により袋内に入っている生花の状態を楽しむことができる。また、発送する際に箱に収納しやすく、贈答用としても好適である。
【図面の簡単な説明】
【０００７】
【図１】花袋の中に生花と空気を入れて口を塞いだ図である。
【考案を実施するための形態】
【０００８】
厚みが０．０１ｍｍのナイロンとＬＬＤＰＥとのラミネートフィルムを用い、横幅２５ｃｍ、高さが１８ｃｍで２ヶ所の開口部を設けた袋を用意し、約６ｃｍのバラの花首を１５輪、袋に入れて花袋とした。
生花を入れるのに用いた開口部をまずヒートシーラーで密封した後、もう1ヶ所の開口部より空気を注入して膨らませたのち、その開口部もヒートシーラーで密封して、花袋とした。この花袋は観賞用として最適であり、約2週間枯れることなく室内に飾ることができた。密封しない通常の花束は1週間で枯れ始め、鑑賞に堪えなくなった。
【符号の説明】
【０００９】
１  花袋
２  花を入れる口
３  空気を入れる口
４  空気
５  生花
【図１】
0003203047.tif 000003
(57)【要約】      （修正有）【課題】通常は抱き枕として使用し、起床時刻では枕の中に目覚まし機構を装着し、眠る人を目覚めさせることができる目覚まし抱き枕を提供する。【解決手段】抱き枕１の中に、振動伝達用の筒２を設け、振動伝達用の筒２の中に振動体３を装着した抱き枕１は、睡眠時は癒しとして使用し、起床時刻では電源線４からの電源で、振動体３が大きく振動し、振動伝達用の筒２に当たり、振動伝達用の筒２が共振して抱き枕１を振動させて眠る人を驚かせて、目覚めさせる。抱き枕１は睡眠時には癒しとし、起床時刻では目覚ましとして使用する。【選択図】図１
0003203056.tif 000002
【実用新案登録請求の範囲】
【請求項１】
抱き枕（１）の中に設けた、振動伝達用の筒（２）の中の振動体（３）が起床時刻で大きく振動し、振動伝達用の筒（２）を介して抱き枕に伝わり、眠る人を目覚めさせる構造の抱き枕。
【考案の詳細な説明】
【技術分野】
【０００１】目覚まし装置
【背景技術】
【０００２】抱き枕は癒しと、安眠とに用いられるが、目覚ましの役目を兼用させたい。
【先行技術文献】
【０００３】
【特許文献１】
【０００４】
【非特許文献１】
【考案の概要】
【考案が解決しようとする課題】
【０００５】通常は抱き枕と使用し、起床時刻では枕の中に目覚まし機構を装着し、眠る人を目覚めさせることを課題とする。
【課題を解決するための手段】
【０００６】柔らかい抱き枕の中心部に振動伝達用の筒を設け、振動伝達用筒の中に、起床時刻になると激しく動く振動体を設ける。【０００７】睡眠時は癒しとして使用しているが、起床時刻では振動体が大きく振動し、振動伝達用の筒に伝って共振し、抱き枕が振動して眠る人を目覚めさせる。
【考案の効果】
【０００８】睡眠中は抱き枕を癒しとして使用し、起床時刻では抱き枕の中に装着した振動体が大きく振動して外側に設けた振動伝達用の筒に伝わって共振し、抱き枕が振動して眠る人を驚かせて目覚めさせる目覚まし効果の二つの効果がある。
【図面の簡単な説明】
【図１】図１は抱き枕の内部構造を示す断面図
【図２】図２は抱き枕を、Ａ１からＡ２で切断した断面図。
【考案を実施するための形態】
【０００９】本案の応用例で示し、図１は本案による抱き枕（１）の中の構造を示す断面図で、抱き枕（１）の中心部に振動伝達用の筒（２）が設けてあり、振動伝達用の筒（２）の中に、振動体（３）が設けられているが、振動体（２）は電源線（４）から起床時刻に電源を受けて大きく振動する。
【００１０】振動伝達用の筒（２）の内径は、振動体（２）が振動した時に振動体（３）の振動が、振動伝達用の筒（２）の内面に当たり共振するような間隙としてある。
【００１１】振動伝達用の筒（２）には、移動制限具（５）移動制限具（６）移動制限具（７）移動制限具（８）が４箇所に設けてあり、振動する振動体（２）の位置の移動を制限する。
【産業上の利用可能性】本考案の振動する抱き枕は、癒しと、目覚まし、の二つの機能を持ち製作も簡単で利用価値がある。
【符号の説明】１    抱き枕
２    振動伝達用の筒
３    振動体
４    電源線
５    移動制限具
６    移動制限具
７    移動制限具
８    移動制限具
【図１】
0003203056.tif 000003
【図２】
0003203056.tif 000004